(57)【要約】【課題】  （１）大容量バッテリーの取り付けを可能にする。  （２）バッテリー取り付け面にスイッチを配置して小型筐体外装面の有効活用。【解決手段】  （１）ＬＣＤ収納面内側面にバッテリーを取り付けできる撮像装置で、バッテリー端子部（本体側）にヒンジが設けられ、ＬＣＤ内側に付かない大容量バッテリーを取り付ける場合は、バッテリー端子を回動することで、同一端子から本体底面へ取り付けができる。  （２）ＬＣＤ内側面に取り付けられたバッテリーを回動するとバッテリー取り付け面に設けられたスイッチが利用できる。【選択図】  図１３
2007166183.tif 000002
【特許請求の範囲】
【請求項１】
本体部にバッテリを着脱できる撮像装置で、本体部の複数面に接してバッテリを装着可能な撮像装置。
【請求項２】
本体部に対して開閉可能な表示部を備え、表示部が対向する本体部の面と、表示部が対向する本体部の面の隣接面に接してバッテリを装着可能な請求項１に記載の撮像装置。
【請求項３】
本体部とバッテリを接続する回動可能な電気接点をバッテリまたは本体部に備え、複数面へのバッテリ装着状態においても、同一の接点により接続可能な請求項１または２に記載の撮像装置。
【請求項４】
バッテリまたは本体部にバッテリ保持機構を備え、複数面へのバッテリ装着状態においても、同一の保持機構によりバッテリが保持される請求項１から３のいずれかに記載の撮像装置。
【請求項５】
本体部に対して開閉可能な表示部と、表示部が対向する本体部の面に接して
開閉可能なバッテリを着脱できる撮像装置で、バッテリの接する面に入力スイッチを備えた撮像装置。
【発明の詳細な説明】
【技術分野】
【０００１】
この発明はバッテリを装着して使用する撮像装置に関するものである。
【背景技術】
【０００２】
図１は近年普及しているビデオカメラの一例である。カセット部の上にレンズ鏡筒部とファインダを配置し、ＬＣＤ表示部はカセット部と並んで配置されている。ＬＣＤ表示部はヒンジを介して開閉でき、ＬＣＤ表示部収納面に操作スイッチが設けられ、撮影・再生での機能変更を簡便にしている。バッテリは後方に装着できるため、大容量の大きなバッテリも取り付け可能である（図２）。
【０００３】
図３に示すビデオカメラは近年普及している小型モデルの一例である。カセット部と並んでレンズ鏡筒部とファインダを配置し、レンズ鏡筒部とファインダの下に薄型表示部とバッテリを配置することで、デッドスペースをなくしよりコンパクトなビデオカメラを実現している。また、ＬＣＤ表示部を開いた内側にバッテリを装着でき、バッテリが本体からはみ出すことなく収納できるため携帯性に優れている。
【０００４】
また、メカとバッテリー含む取替え可能な筐体が本体に対して回転する磁気記録再生装置がある。（特許文献１参照）
【特許文献１】特開平１１−６６８３５号公報
【発明の開示】
【発明が解決しようとする課題】
【０００５】
しかしながら、図３に示した小型モデルに大容量のバッテリを装着すると、取り付け面からのバッテリ突出量が大きくなる結果、表示部をバッテリが遮り表示部が使用できない。更に大容量バッテリを装着した状態ではＬＣＤ表示部を収納できないため携帯性が悪い。また、図３の小型モデルではバッテリが装着されるＬＣＤ表示部の収納面にスイッチを配置することが出来ないため、スイッチの配置場所がなくなり、外観側へのスイッチ配置によるデザイン性の悪化や、操作しづらい位置への操作スイッチの配置になっている。
【課題を解決するための手段】
【０００６】
このため、この発明における撮像装置は、本体部にバッテリを着脱できる撮像装置で、本体部の複数面に接してバッテリを装着可能である。
【０００７】
また、本体部に対して開閉可能な表示部を備え、表示部が対向する本体部の面と、その隣接面に接してバッテリを着脱可能である。
【０００８】
また、本体部とバッテリを接続する回動可能な電気接点をバッテリまたは本体部に備え、複数面へのバッテリ装着状態においても同一の接点により接続可能である。
【０００９】
また、バッテリまたは本体部にバッテリ保持機構を備え、複数面へのバッテリ装着状態において同一の保持機構によりバッテリが保持される。
【００１０】
また、本体部に対して開閉可能な表示部と、表示部が対向本体部の面に接して開閉可能なバッテリを着脱でき、バッテリの接する面に入力スイッチを備えている。
【発明の効果】
【００１１】
開閉可能な表示部の収納時に表示部が対向する本体部の面にバッテリを取り付けるレイアウトで、複数の面にバッテリ装着ができ、大容量バッテリ装着による長時間の撮影を可能にした。また、同レイアウトで収納時には見えないバッテリ装着面にスイッチを配置することで、デザインの幅が広がり、操作性の良い小型の撮像装置を可能にした。
【発明を実施するための最良の形態】
【００１２】
（実施例１）
本発明の実施形態を以下に図に沿って順に説明する。図４は第一の実施形態である。カセット部(401)と並んでレンズ鏡筒部(402)とファインダ(403)を配置し、レンズ鏡筒部(402)とファインダ(403)の下に薄型表示部(404)が設けられている撮像装置である。ＬＣＤ表示部を開いた本体側の内側（405）にバッテリを収納し、バッテリと本体を電気的に接続する端子部（406）を介してバッテリを装着できる。409はバッテリを本体側に保持する爪部で、407ツマミをスライドさせると爪部（409）も連動して動き、バッテリを本体からリリースすることができる。また、（408）面にもバッテリを装着でき、同様の爪構造でバッテリの取り付けができる。
【００１３】
図５は第一の実施形態に取り付けるバッテリである。（501）は電気接点でバッテリを装着時に本体側の接点（406）の接点を挟み込むことにより導通する。502はバッテリ保持する際に爪（409）を引っ掛ける窪みである。
【００１４】
図６はバッテリの保持機構の断面図である。スライドツマミ（407）はバッテリ保持爪（409）と一体成形されており、外装カバー（603）に摺動するように取り付けられている。バッテリ装着時には、点線部（502）で示した位置にバッテリの窪み部が引っ掛かる。スライドツマミはバネで規制してありバッテリを取り付けるときは、バッテリが爪部の傾斜を押してツマミを動かし、取り付け位置まで填まり込むとツマミが戻る機構になっている。また、バッテリを外す時はツマミを矢印（605）の方向へ動かすと爪部がバッテリ窪みの引っ掛かり部からリリースされ、リリース状態でバッテリを引き上げれば取り外すことができる。
【００１５】
図７はバッテリがＬＣＤ側に備えられた保持爪（409）により保持されて取り付け面405に装着された状態、図８は背面にある保持爪（409）により保持されて取り付け面408に装着された状態である。図７、図８のどちらの状態においても406と501の接点が勘合して導通することができる。
【００１６】
大容量バッテリは長時間の撮影など、長時間の電源供給を可能にする。しかし、大容量にするためにはバッテリセルの数を増やす必要があるため、外形が大きくなってしまう。図９の様に取り付け面(408)に装着することにより、ＬＣＤ表示部を遮ることなく大容量バッテリ（901）をコンパクトに使用できる。
【００１７】
（実施例２）
次に第二の実施形態について説明する。図１０は第二の実施形態の概略図である。第一の実施形態と同様にカセット部(1001)と並んでレンズ鏡筒部(1002)とファインダ(1003)を配置し、レンズ鏡筒部とファインダの下に薄型表示部(1004)とバッテリ収納部(1005)が設けられ、ＬＣＤ表示部を開いた内側にバッテリを装着できる。バッテリと接続される電気接点(1006)が設けられ、バッテリと導通される。(100７)は電気接点(1006)を含むバッテリ取り付けユニットで、本体と軸を介して接続されており、回転することができる。
【００１８】
図１１は第二実施形態のバッテリ概略図である。(1101)は電気接点で（1006）を挟み込んで本体側との導通を可能にする。（1102）はバッテリを本体側に保持する為の爪部である。
【００１９】
図１２はバッテリ取り付け状態の概略と取り付け構造についての図である。バッテリは（1201）に収納される。本体側に付けられたバッテリ保持爪(1202)とバッテリ側の爪(1102)が引っ掛かることでバッテリが保持される。(1203)はバッテリ取り付けユニット(1007)の回転軸であり、軸を中心にバッテリ接点が本体底面へ向く方向まで９０°回転する。図示していないが、回転軸部には端子向きがＬＣＤ収納面方向及び底面方向の位相でクリックが生じるような構造である。クリック構造により、クリック位置でバッテリが安易に回転しないように、途中の回動部よりクリック位置で重いトルクが掛かる。バッテリ取り付けユニットを回転させ接点を底面へ向けた状態でバッテリを取り付けると図１３のように本体底面にバッテリが取り付けられる。また大容量バッテリを装着する場合には図１４の1401の様に底面へＬＣＤ表示部を遮ることなくコンパクトに使用できる。
【００２０】
（実施例３）
次に第三の実施形態について説明する。図１５は第三の実施形態の概略図である。第一・二の実施形態と同様にカセット部(1501)と並んでレンズ鏡筒部(1502)とファインダ(1503)を配置し、レンズ鏡筒部とファインダの下に薄型表示部(1504)とバッテリ収納部(1505)が設けられ、ＬＣＤ表示部を開いた内側にバッテリを装着できる。バッテリと接続される電気接点(1507)が設けられ、バッテリと導通する。ＬＣＤ収納部のバッテリ取り付け面には撮影・再生に関わる変更の入力が可能な入力スイッチ部(1506)が設けられている。
【００２１】
図１６は第三実施形態のバッテリ概略図である。バッテリ部(1601)と接点部(1603)に分かれて双方がヒンジ(1604)を介して繋がれている。バッテリ接点同士を接合して組み合わせることにより、バッテリを本体に取り付けると図１７のように取り付けられ、バッテリにより通電することで撮影が可能である。また再生・撮影するときに、図１８のようにＬＣＤ表示部を見るのに邪魔にならない範囲までバッテリを回転させて使用可能で、バッテリ収納面のスイッチ入力（1506）も使用できる。
【図面の簡単な説明】
【００２２】
【図１】従来のビデオカメラの斜視図である。
【図２】従来のビデオカメラの斜視図である。
【図３】従来のビデオカメラの斜視図である。
【図４】第一実施例の斜視図である。
【図５】第一実施例のバッテリの斜視図である
【図６】第一実施例のロック構造の説明図である
【図７】第一実施例の斜視図である。
【図８】第一実施例の斜視図である。
【図９】第一実施例の斜視図である。
【図１０】第二実施例の斜視図である。
【図１１】第二実施例の斜視図である。
【図１２】第二実施例の斜視図である。
【図１３】第二実施例の斜視図である。
【図１４】第二実施例の斜視図である。
【図１５】第三実施例の斜視図である。
【図１６】第三実施例のバッテリの斜視図である。
【図１７】第三実施例の斜視図である。
【図１８】第三実施例の斜視図である。
【符号の説明】
【００２３】
401，1001，1501  カセット部
402，1002，1502  鏡筒部
403，1003，1503  ファインダ
404，1004，1504  表示部
405，408，1005，1505  バッテリ取り付け面
406，1006，1101，1507，1603  端子部
407  バッテリ解除ノブ
409  バッテリ保持爪
501  バッテリ端子部
502  バッテリ引っ掛け溝
503，1201，1601  バッテリ
603  外装
605  スライド方向
901，1401  大容量バッテリ
1007，1602  端子ユニット
1102，1202  バッテリ保持爪
1203，1604  回転軸
1506  入力スイッチ
【図１】
2007166183.tif 000003
【図２】
2007166183.tif 000004
【図３】
2007166183.tif 000005
【図４】
2007166183.tif 000006
【図５】
2007166183.tif 000007
【図６】
2007166183.tif 000008
【図７】
2007166183.tif 000009
【図８】
2007166183.tif 000010
【図９】
2007166183.tif 000011
【図１０】
2007166183.tif 000012
【図１１】
2007166183.tif 000013
【図１２】
2007166183.tif 000014
【図１３】
2007166183.tif 000015
【図１４】
2007166183.tif 000016
【図１５】
2007166183.tif 000017
【図１６】
2007166183.tif 000018
【図１７】
2007166183.tif 000019
【図１８】
2007166183.tif 000020